(57)【要約】  それぞれが物品の直径を有する多数の物品を収容するためのカートン（３００）。カートンは、前壁（３３０）と、前壁上に位置するヒンジフラップ（４２５）と、ヒンジフラップに隣接する前壁上に位置するアクセス用フラップ（４１０）と、を含む。アクセス用フラップは、アクセス用フラップを除去した場合に、物品がヒンジフラップによりカートン内に保持されるように物品の直径より低い高さを有する。
2008529898.tif 000002
【特許請求の範囲】
【請求項１】
それぞれが物品直径を有する多数の物品を収容するためのカートンであって、
前壁と、
前記前壁上に位置するヒンジフラップと、
前記ヒンジフラップに隣接し、前記前壁上に位置するアクセス用フラップと、を有し、
前記アクセス用フラップは、当該アクセス用フラップが除去された場合に、前記多数の物品が前記ヒンジフラップにより前記カートン内に保持されるように、前記物品直径より高さが低いカートン。
【請求項２】
前記ヒンジフラップは、切取り線を有する、請求項１に記載のカートン。
【請求項３】
前記切取り線は、強度の弱い線を有する、請求項２に記載のカートン。
【請求項４】
前記ヒンジフラップは、一対の切取り線を有する、請求項２に記載のカートン。
【請求項５】
前記ヒンジフラップは、一対の脚部を有する、請求項１に記載のカートン。
【請求項６】
前記前壁に隣接して位置する一対の側壁をさらに有し、
前記アクセス用フラップは、前記側壁内に延びる、請求項１に記載のカートン。
【請求項７】
前記一対の側壁に沿う前記アクセス用フラップは、前記物品直径より高さが低い、請求項６に記載のカートン。
【請求項８】
前記アクセス用フラップは、その内部に位置する親指用ガイドを備える、請求項１に記載のカートン。
【請求項９】
底壁をさらに備え、
前記アクセス用フラップは、前記底壁に隣接する切取り線を更に有する、請求項１に記載のカートン。
【請求項１０】
当該カートンは、２×６個の物品構成を含む、請求項１に記載のカートン。
【請求項１１】
それぞれが物品直径を有する多数の物品を収容するためのカートンであって、
前壁と、
頂壁と、
前記前壁及び前記頂壁に沿って形成されたアクセス用フラップと、
前記アクセス用フラップが除去されて前記多数の物品のうちの１つがそこを通して取り出された後で、前記前壁を曲げることができるように、前記頂壁に沿って前記アクセス用フラップに隣接して位置する複数の側部切取り線と、を有する、カートン。
【請求項１２】
前記頂壁に沿った前記アクセス用フラップは、前記物品直径と同程度の大きさを有する、請求項１１に記載のカートン。
【請求項１３】
前記頂壁は、一対のストリップを有し、
前記一対のストリップの一方は、前記アクセス用フラップの両側に位置し、
前記複数の側部切取り線は、前記一対のストリップ内に位置する、請求項１１に記載のカートン。
【請求項１４】
前記複数の側部切取り線は、一対の側部切取り線を有する、請求項１１に記載のカートン。
【請求項１５】
底壁をさらに有し、
前記アクセス用フラップは、前記底壁に隣接する切取り線を更に有する、請求項１１に記載のカートン。
【請求項１６】
前記各物品は、ある物品長さを有し、
前記アクセス用フラップは、前記物品長さより狭い幅を有する、請求項１１に記載のカートン。
【請求項１７】
当該カートンは、２×６個の物品構成を含む、請求項１１に記載のカートン。
【請求項１８】
それぞれの物品がある物品長さを有する多数の物品を収容するためのカートンであって、
前壁と、
前記前壁内に位置するアクセス用フラップと、を有し、
前記アクセス用フラップは、前記物品長さの半分より大きい幅を有し、
前記アクセス用フラップは、前記前壁に沿って位置する親指用フラップを有するカートン。
【請求項１９】
各物品は、物品直径を有し、
前記アクセス用フラップは、前記物品直径の約倍数の高さを有する、請求項１８に記載のカートン。
【請求項２０】
当該カートンは、２×６個の物品構成を含む、請求項１８に記載のカートン。
【発明の詳細な説明】
【技術分野】
【０００１】
本出願は、概して、カートンに関し、特に、その内部の物品にアクセスすることができるようにする取出し開口部を備えるカートンに関する。
【背景技術】
【０００２】
缶、ボトル及び他の対象物のような種々のタイプの物品を収容するための種々のタイプのカートンが知られている。ある最近のタイプの容器は、「ＦＲＩＤＧＥ  ＰＡＣＫ（商標）」カートンと呼ばれている。種々のタイプの「ＦＲＩＤＧＥ  ＰＡＣＫ（商標）」カートンが、コカコーラ（登録商標）ブランドの製品を販売するために、ジョージア州アトランタ所在のコカコーラ社の認可を受けているボトル業者用に製造され、販売されている。
【０００３】
「ＦＲＩＤＧＥ  ＰＡＣＫ（商標）」カートンは、一般に、（２×６）個の製品（高さ方向に２段、及び縦方向に６列）を収容するようになっている。カートンの一方の端部は、一般に、切込み線が付いていて、消費者がその内部の製品を掴むことができるように、カートンの一部を除去することができる。除去可能な端部を有する２段×６列設計のカートンは、標準冷凍業者によく使用されている。しかし、それぞれが２段×４列の缶（８パック）、及びそれぞれが３段×４列の缶（「３×４＝１２パック」）のような他の構成も使用することができ、本発明の範囲内に含まれる。
【発明の開示】
【発明が解決しようとする課題】
【０００４】
周知のカートンの欠点のうちの１つは、カートンを開けるのが難しいことである。例えば、いくつかのカートンは、頂部の隅に沿ってミシン目の付いている開口部を使用している。多くの場合、カートンを搬送中に損傷を受けないで、消費者がパッケージを開けたい場合に、無理な力を加えないでも開けることができるミシン目を設計するのは難しい。もう１つの問題は、開けた場合に、物品、特に最初の物品がカートンから落下するのを防止することである。さらにもう１つの問題は、カートン内に何個物品が残っているのかをチェックするために、開けた後で消費者がカートンの内部を見たい場合があることである。さらに他のカートンは、底部から上に引き上げる開口部を使用している場合がある。この設計の場合には、引き上げ後に残ったカートンの一部が、頂部に沿った溝に入り込む場合がある。このような設計の場合には、カートンのアクセス部分を除去するために、消費者が下方及び前方に引こうと思ってもうまくいかない場合がある。
【課題を解決するための手段】
【０００５】
そこで、本願は、それぞれが物品の直径を有する多数の物品を収容するためのカートンを提供する。このカートンは、前壁と、前壁上に位置するヒンジフラップと、ヒンジフラップに隣接する前壁上に位置するアクセス用フラップと、を含む。アクセス用フラップは、物品の直径より低い高さを有し、そのためアクセス用フラップを除去した場合、物品はヒンジフラップによりカートン内に保持される。
【０００６】
ヒンジフラップは、一つ又は一対の切取り線を含むことができる。切取り線は、強度の弱い線であってもよい。ヒンジフラップは、一対の脚部を含むことができる。カートンは、前壁に隣接して位置する一対の側壁を含むことができ、アクセス用フラップは側壁内に延びている。側壁に沿ったアクセス用フラップは、物品の直径より低い高さを有することができる。アクセス用フラップは、その内部に位置する親指用ガイドを含むことができる。カートンは底壁を含むことができ、アクセス用フラップは底壁に隣接するもう１つの切取り線を含むことができる。カートンは、２×６個の物品構成を含むことができる。
【０００７】
本願は、さらに、それぞれが物品の直径を有する多数の物品を収容するためのカートンを提供する。カートンは、前壁と、頂壁と、前壁及び頂壁に沿って形成されているアクセス用フラップと、アクセス用フラップを除去して物品の１つをそこを通して取り出した後で前壁を曲げることができるように頂壁に沿ってアクセス用フラップに隣接して位置する多数の側部切取り線と、を含むことができる。
【０００８】
頂壁に沿ったアクセス用フラップは、物品の直径くらいの大きさを含むことができる。頂壁は一対のストリップを含むことができ、各ストリップはアクセス用フラップの両側部上に位置する。側部切取り線は、ストリップ内に位置する。側部切取り線は、一対の側部切取り線であってもよい。カートンは、さらに底壁を含むことができ、アクセス用フラップは、底壁に隣接するもう１つの切取り線を含むことができる。アクセス用フラップは、物品の長さより狭い幅を有することができる。カートンは、２×６個の物品構成を含むことができる。
【０００９】
本願は、さらに、それぞれがある物品の長さを有する多数の物品を収容するためのカートンを提供する。このカートンは、前壁と、及び前壁内に位置するアクセス用フラップと、を含むことができる。アクセス用フラップは、物品の長さの半分より広い幅を有することができ、アクセス用フラップは、前壁に沿って位置する親指用フラップを含むことができる。
【００１０】
アクセス用フラップは、物品の直径の倍数程度の高さを有することができる。カートンは、２×６個の物品構成を含むことができる。
【発明を実施するための最良の形態】
【００１１】
ここで図を参照すると、幾つかの図面を通して同様の番号が同様の要素を示していて、図１は、本明細書に記載するカートンを組立てるために使用することができるブランク１００を示す。ブランク１００は、厚紙、ボール紙、段ボール、または同様のタイプの折り曲げることができるシート材料から作ることができる。より詳細に説明すると、ブランク１００は、コーティングした漂白していないボール紙から作ることができる。ブランク１００は、材料の連続しているシートまたは個々のシートからダイ・カットすることができる。
【００１２】
各ブランク１００は、その内部に形成されている多数の折曲げ線及び切取り線を有することができる。「折曲げ線」という用語は、線の全長に沿って材料を容易に折り曲げることができる強度を弱くした線を意味する。折曲げ線は、破断用スコア、ミシン目、短い切れ込みの線、半分カットした線、切れ込み線と破断用スコアとの組合せ、及び同様の線を含むことができるが、これらに限定されない。折曲げ線または任意のヒンジ接続部（hinged connection）という用語は、１つの折曲げ線に限定されると解釈してはならない。このような任意の折曲げ線またはヒンジ接続部は、１つまたは複数の折曲げ線から形成することができる。
【００１３】
「切取り線」という用語は、切断線、または強度の弱い線の長さに沿って容易に切断することができる任意の他の強度の弱い線を意味する。切取り線は、ミシン目、短い切れ込みの線、半分カットした線、切れ込み線と破断用スコアとの組合せ、及び同様の線を含むことができるが、これらに限定されない。
【００１４】
第１及び第２のような順序を示す用語、及び頂部、基部、底部、側部、上部、下部、前部、背部、内部、外部等のような方向を示す用語は、本明細書に記載する構造をこのような方向に限定するものではなく、単に相対的な構造を相互に区別するためのものであることを理解することができるだろう。
【００１５】
ブランク１００は、折曲げ線により分離されている多数のパネル及びフラップを有することができる。より詳細に説明すると、ブランク１００は、頂部パネル１１０、底部パネル１２０、第１の側部パネル１３０、及び第２の側部パネル１４０を有することができる。頂部パネル１１０及び底部パネル１２０は、それに隣接して位置する一対の強化用フラップである第１の強化用フラップ１５０及び第２の強化用フラップ１６０を有することができる。第１の側部パネル１３０及び第２の側部パネル１３０は、それに隣接して位置する一対の取出し用フラップ、すなわち第１の取出し用フラップ１７０及び第２の取出し用フラップ１８０を有することができる。第１の側部パネル１３０は、また、それに隣接して位置する糊代フラップ１９０を有することができる。各パネル及びフラップは、多数の折曲げ線２００により接続することができる。
【００１６】
一組の取出し用フラップ１７０、１８０は、その内部に位置する多数の切取り線を有することができる。より詳細に説明すると、これらの取出し用フラップ１７０、１８０は、折曲げ線２００にほぼ垂直な方向に、第１及び／または第２の側部パネル１３０、１４０の折曲げ線２００から比較的短い距離延びる第１の切取り線２２０を有することができる。この例の場合には、第１の切取り線２２０は、もっと強度の弱い線にすることができる。取出し用パネル１７０、１８０は、さらに第１の切取り線２２０の下に位置し且つ第１の切取り線２２０が終わるあたりから開始する第２の切取り線２３０を有することができる。第２の切取り線２３０は、取出し用フラップ１７０、１８０の全長に沿って連続して延びることができる。取出し用フラップ１７０、１８０は、さらに、この場合も側部パネル１３０、１４０の折曲げ線２００のところから開始し且つ第１の切取り線２２０の下側の位置でそれと平行の第３の切取り線２４０を有することができる。第３の切取り線２４０は、上方にある角度がついていて、第１の切取り線２２０の方向において第２の切取り線２３０と平行に連続して延びることができる。
【００１７】
各側部パネル１３０、１４０も、その内部に切取り線を有することができる。より詳細に説明すると、第４の切取り線２５０を有することができる。第４の切取り線２５０は、取出し用フラップ１７０、１８０の折曲げ線２００から延びることができ、第３の切取り線２４０と交差する。次に、第４の切取り線２５０は、取出し用フラップ１７０、１８０を含む折曲げ線２００に再度接触するまで凹状に延びることができる。第５の切取り線２６０も、折曲げ線２００に沿って、取出し用フラップ１７０、１８０の第１の切取り線２２０と第２の切取り線２３０との間に位置することができる。第６の切取り線２７０は、折曲げ線２００の全長に沿って、第２の強化用フラップ１６０と第２の側部パネル１４０との間を延びることができる。第７の切取り線２７５は、第１の切取り線２２０に隣接して側部パネル１３０、１４０上に位置することができる。第７の切取り線２７５は、円弧または半円の形をしてもよい。また、任意の数の他の切取り線も任意の位置でまたは任意の方向に使用することができる。
【００１８】
また、頂部パネル１１０は、その内部に位置する取っ手切欠き２７０を有することができる。取っ手切欠き２７０は、多数の切取り線から形成することができる。取っ手切欠き２７０は、側部パネル１３０、１４０内に延びることができる。
【００１９】
ブランク１００は、本明細書に記載するようにカートン３００を組立てるために使用することができる。カートン３００は、頂壁３１０、底壁３２０、前壁３３０、背壁３４０、第１の側壁３５０及び第２の側壁３６０を有することができる。カートン３００は、底部パネル１２０に糊代フラップ１９０を取り付け、強化用フラップ１５０、１６０を折り曲げ、強化用フラップ１５０、１６０に及び／または相互に取出し用パネル１７０、１８０を取り付けることにより組立てることができる。従来の接着剤、または他のタイプの結合手段を使用することができる。
【００２０】
ディスペンサー４００は、前壁３３０、背壁３４０及び／または両方の付近に位置させることができる。上記の切取り線は、ディスペンサー４００を形成することができる。ディスペンサー４００は、取出しパネル４１０を含むことができる。取出しパネル４１０は、前壁３３０の幅を横切って延びることができる。第３の切取り線２４０は、前壁３３０を横切って取出し用パネル４１０を形成することができる。また、取出し用パネル４１０は、第４の切取り線２５０を介して第１及び第２の側壁３５０、３６０内に延びることができる。また、取出し用パネル４１０は、親指用ガイドまたは指用アクセス４２０を有することができる。第２の切取り線２３０は、親指用ガイドまたは指用アクセス４２０を形成することができる。第１の切取り線２２０は、前壁３３０の両側上にヒンジフラップ４２５を形成することができる。
【００２１】
カートン３００を開けるために、第２及び第３の切取り線２３０、２４０が開き始めるように、親指用ガイドまたは指用アクセス４２０に沿って押し込むことにより、取出し用パネル４１０を除去することができる。次に、パネル４１０を握って外側に引き、第４の切取り線２５０を破り、アクセスのための開口部４３５を形成することができる。第７の切取り線２７５は、通常、側壁３５０、３６０に沿った余分の引裂きを制限する。取出し用パネル４１０は、開けた状態のままにしておくこともできるし、第６の切取り線２７０に沿って引き裂いて完全に除去することもできる。
【００２２】
取出し用パネル４１０を開くか、及び／または除去すると、前壁３３０のヒンジフラップ４２５に沿って１つまたは複数の脚部が形成される。好適には、第１の脚部４３０及び第２の脚部４４０は、図に示すように位置することが好ましいが、十分な長さ及び高さの１つの脚部も使用することができる。１つの脚部を使用する場合には、その脚部を内側に位置させることができる。すなわち、アクセス用開口部４３５に対する中心に位置させることができる。そうすることにより、容器５００の端部上の握りが改善される。ヒンジフラップ４２５の脚部４３０、４４０は、カートン３００内の物品を保持する働きをする。第１及び第５の切取り線または破断用スコア２２０、２６０は、残りの物品を正しい位置に保持しながら、カートン３００から物品５００を取り出すことができるようにするために、脚部４３０、４４０が「曲がる」ことができるように、脚部４３０、４４０の付近に位置させることができる。
【００２３】
例えば、多数の缶５００のような飲料容器をカートン３００内に入れることができる。第１の缶５００は、アクセス用開口部４３５を通して取り出すことができる。ヒンジフラップ４２５の脚部４３０、４４０は、缶５００を取り出す場合、第１の切取り線または破断用スコア２２０及び第５の切取り線２６０付近で幾分曲がることができる。第１の缶５００を取り出すと、１つまたは複数の脚部４３０、４４０ははね返ってもとの位置に戻ることができ、残りの缶５００は正しい位置におかれる。もちろん、パッケージの幅によっては、２つの脚部４３０、４４０より多い脚部を使用することもできる。例えば、横に並んだ２列の容器（例えば、「２×２×６」構成）を含む「幅が２倍」のカートンの場合には、パッケージ内の容器の両方の列を保持するために、アクセス用開口部の両端に２つの脚部４３０、４４０を、さらにその中央に第３の脚部を含んでいると有利な場合がある。
【００２４】
本明細書に記載するカートン３００は、２段×６列になっているが、本発明においては、任意のサイズまたは形状を使用することができる。取出し用パネル４１０の性質は、カートン３００の全構成に依存しない。
【００２５】
図６及び図７は、カートン６００の他の実施形態を示す。すでに説明したように、カートン６００は、頂壁３１０と、底壁３２０と、前壁３３０と、背壁３４０と、第１の側壁３５０と、第２の側壁３６０と、を有することができる。
【００２６】
また、カートン６００は、ディスペンサー６１０を有することができる。ディスペンサー６１０は、上記ディスペンサー４００のように、多数の折曲げ線及び／または切取り線により形成することができる。例えば、ディスペンサー６１０は、頂壁３１０上に位置する折曲げ線６２０を含むことができる。折曲げ線６２０は、頂壁３１０と前壁３３０との間の縁部にほぼ平行であってもよい。折曲げ線６２０は、前壁３３０の頂縁部からほぼ１つの缶の幅だけ離れていてもよいが、他の位置に位置することもできる。折曲げ線６２０は、頂壁３１０の幅の大部分を延びることができる。例えば、頂壁３１０が約７．５ｃｍの幅を有している場合には、折曲げ線６２０は、約４．５ｃｍ延びることができ、それにより両側に約１．５ｃｍの幅が残る。しかし、任意の幅を有することができ、折曲げ線６２０が頂壁３１０の全幅を延びることができることも本発明の範囲内に含まれる。また、折曲げ線６２０は切取り線であってもよい。
【００２７】
一対の頂部切取り線６３０は、折曲げ線６２０から頂壁３１０と前壁３３０の間の縁部の方向に延びることができる。頂部切取り線６３０の大部分は、頂壁３１０と側壁３５０、３６０との間の縁部に平行であってもよいし、対応する部分が同一線形順序に並んでいてもよい。別の方法としては、頂部切取り線６３０の一部は、頂壁３１０と側壁３５０、３６０との間の縁部に平行であってもよいし、対応する部分が同一線形順序に並んでいてもよいし、及び／またはある角度を有していてもよい。切取り線６３０の全部または一部は、頂壁３１０と側壁３５０、３６０との間の縁部と対応する部分が同一線形順序に並んでいる場合には、取出しパネル３７０を除去した後で、頂壁３１０及び／または前壁３３０を安定させるために、頂壁及び／または前壁上に狭い領域が残るように、これらの切取り線の前部を内側にある角度傾ける必要がある場合がある。
【００２８】
次に、一対の前部切取り線６４０は、前壁３３０の全長の一部または全部を連続して下方に延びることができる。前部切取り線６４０の大部分は、前壁３３０と側壁３５０、３６０との間の縁部に平行であってもよい。一対の縁部切取り線６５０は、前部切取り線６４０間を延びることができ、そのうちの一方は、頂壁３１０と前壁３３０との間の縁部上を延び、他方は、前壁３３０と底壁６２０との間の縁部に沿って延びる。親指用の孔の切取り線６６０は、頂壁３１０と前壁３３０との間の縁部付近の縁部切取り線６５０の周囲の距離の一部を延びることができる。親指用の孔の切取り線６６０の大部分は、半円または楕円の形をしている。それ故、折曲げ線６２０、頂部切取り線６３０、及び、頂壁３１０と前壁３３０との間の縁部に沿った縁部切取り線６５０は、頂部取出しパネル６７０を形成する。前部切取り線６４０及び縁部切取り線６５０は、前部取出しパネル６８０を形成する。
【００２９】
また、頂壁３１０は、その内部に形成されている一対の側部カット切取り線６９０及び／または破断用スコアを有することができる。側部カット切取り線または破断用スコア６９０は、頂部切取り線６３０から頂壁３１０と側壁３５０、３６０との間の縁部の方向に延びることができる。側部カット切取り線または破断用スコア６９０の大部分は、頂壁３１０と前壁３３０との間の縁部に平行であってもよい。この例の場合、側部カット切取り線６９０の長さは、約２ｃｍであり、頂壁３１０と前壁３３０との間の縁部から約１．５ｃｍ離れている。任意の長さを使用することができる。
【００３０】
使用中、ディスペンサー６１０は、親指用の孔の切取り線６６０に沿って押し込むことによりカートン６００から除去することができる。次に、ユーザは、頂壁切取り線６３０に沿って頂部取出しパネル６７０を切り離すために引き上げることができ、次に、折曲げ線６２０に沿って頂部取出しパネル６７０を曲げることができる。次に、ユーザは、前部切取り線６４０に沿って前部取出しパネル６８０を下方に切り離すことができ、次いで、底縁部切取り線６５０に沿って前部取出しパネル６８０を除去することができる。それ故、パネル６７０、６８０を除去すると、アクセス用開口部７００が形成される。パネル６７０、６８０を除去すると、頂壁３１０及び前壁３３０の残りの部分によりカートン６００内の缶５００は正しい位置に留まる。缶５００を取り出すために、ユーザは、開口部７００を通して一番上の缶を引き出し、それにより側部カット切取り線６９０に沿って、頂壁３１０及び／または前壁３３０が曲がる。図７に示すように、缶５００をカートン６００から容易に取り出すことができ、一方、頂壁３１０及び前壁３３０の残りの部分は、残りの缶５００を正しい位置に保持する。
【００３１】
他の頂部切取り線６３０は、頂壁３１０の全長に沿って延びることができる。同様に、頂部取出しパネル６７０は、カートン６１０から缶５００を取り出した場合に、パネル６７０の一部を除去することができるように、頂壁３１０の全長に沿って延びることができる。
【００３２】
図８及び図９は、さらに他の実施形態である。より詳細に説明すると、図８は、ブランク７５０を示す。すでに説明したように、ブランク７５０は、折曲げ線により分離されている多数のパネル及びフラップを有することができる。ブランク７５０は、頂部パネル１１０と、底部パネル１２０と、第１の側部パネル１３０と、第２の側部パネル１４０と、を有することができる。頂部パネル１１０及び底部パネル１２０は、第１の強化用フラップ１５０及び第２の強化用フラップ１６０を有することができる。第１の側部パネル１３０及び第２の側部パネル１３０は、第１の取出し用フラップ１７０及び第２の取出し用フラップ１８０を有することができる。各パネル及びフラップは、折曲げ線２００により接続することができる。
【００３３】
パネル及びフラップは、その内部に位置する多数の切取り線を有することができる。より詳細に説明すると、第１の強化用フラップ１５０は、第１の強化用フラップ切取り線７７０によりその内部に形成されている親指用ガイド７６０を有することができる。第１の強化用フラップ切取り線７７０の大部分は半円形をしていてもよい。第１の強化用フラップ１５０は、さらに、その内部に位置する第２の強化用フラップ切取り線７８０を有することができる。第２の取出し用フラップ切取り線７８０は、第１の強化用フラップ１５０の全長に沿って延びることができ、第１の取出し用フラップ１７０に幾分近いずれた位置の第１の強化用フラップ１５０を二等分することができる。さらに、第１の強化用フラップ１５０は、その内部に位置する一対の第３の強化用フラップ切取り線７９０を有することができる。第３の強化用フラップ切取り線７９０は、第２の強化用フラップ切取り線７８０から第１の強化用フラップ切取り線７７０及び親指ガイド７６０に延びることができ、次に、親指用ガイド７６０から強化用フラップ１５０の端部に延びることができる。
【００３４】
第２の強化用フラップ１６０は、その内部に位置する第４の強化用フラップ切取り線８００を有することができる。第４の強化用フラップ切取り線８００も、第２の強化用フラップ１６０を二等分することができ、組立てた場合、第１の強化用フラップ１５０上で第２の強化用フラップ切取り線７８０と整合することができる。第２の強化用フラップ１６０も、第５の強化用フラップ切取り線８１０を有することができる。第５の強化用フラップ切取り線８１０は、第４の強化用フラップ切取り線８００から底部パネル１２０と第２の強化用フラップ１６０との間の縁部に沿って、第２の取出し用フラップ１８０に向かって延びることができる。
【００３５】
第２の取出し用フラップ１８０は、その内部に位置する第１の取出し用フラップ切取り線８２０を有することができる。第１の取出し用フラップ切取り線８２０は、第２の取出し用フラップ１８０の幅を横切ることができ、第２の側部パネル１４０と第２の取出し用フラップ１８０との間の縁部に沿って位置することができる。
【００３６】
また、第１の取出し用フラップ１７０は、その内部に位置する第２の取出し用フラップ切取り線８３０を有することができる。第２の取出し用フラップ切取り線８３０の大部分は、第１の側部パネル１３０と第１の取出し用フラップ１７０との間の縁部に平行に位置することができる。第２の取出し用フラップ切取り線８３０は、第１の取出し用フラップ１７０の幅の大部分の周囲を延びることができる。第２の取出し用フラップ切取り線８３０は、側部パネル１３０を含む縁部から離れている第１の取出し用フラップ１７０の縁部の方向に位置することができる。
【００３７】
図９は、ブランク７５０から組立てることができるカートン８５０を示す。すでに説明したように、カートン８５０は、頂壁３１０と、底壁３２０と、前壁３３０と、背壁３４０と、第１の側壁３５０と、第２の側壁３６０と、を有することができる。また、カートン８５０は、ディスペンサー８６０を有することができる。上記ディスペンサー同様のディスペンサー８６０は、上記切取り線により形成することができる。より詳細に説明すると、ディスペンサー８６０は、上記各切取り線７７０〜８３０により形成することができる。
【００３８】
使用中、親指用ガイド７６０に沿って押し込み、それにより親指用ガイド７６０の両側上の第１の強化用フラップ切取り線７７０及び第３の強化用フラップ切取り線７９０を開いて、カートン８５０を開けることができる。次に、ユーザは前壁３３０の一部を引き下げ、それにより第１及び第２の取出し用フラップ切取り線８２０、８３０、及び第２及び第４の強化用フラップ切取り線７８０、８００を引き裂くことができる。最後に、ユーザは、第５の強化用フラップ切取り線８１０を切り離すことができ、そのため開口部８７０は開いたままになる。次に、ユーザは、開口部８７０を通して缶５００を取り出すことができる。一方、前壁３３０の残りの部分は、残りの缶５００を正しい位置に保持する。
【００３９】
ディスペンサー８６０は、カートン８５０の両側に置くことができる。同様に、開口部８７０及び前壁３３０の残りの部分のサイズは変えることができる。
【図面の簡単な説明】
【００４０】
【図１】本明細書に記載するブランクの平面図である。
【図２】図１のブランクから組立てられたカートンの斜視図である。
【図３】取出し用パネルを除去した図２のカートンの斜視図である。
【図４】取出し用パネルを除去した図２のカートンの斜視図である。
【図５】取出し用パネルを除去した図２のカートンの斜視図である。
【図６】本明細書に記載する他のカートンの斜視図である。
【図７】取出し用パネルを除去した図６のカートンの斜視図である。
【図８】本明細書に記載する他の実施形態のブランクの平面図である。
【図９】図８のブランクから組立てられたカートンの斜視図である。
【図１】
2008529898.tif 000003
【図２】
2008529898.tif 000004
【図３】
2008529898.tif 000005
【図４】
2008529898.tif 000006
【図５】
2008529898.tif 000007
【図６】
2008529898.tif 000008
【図７】
2008529898.tif 000009
【図８】
2008529898.tif 000010
【図９】
2008529898.tif 000011
【国際調査報告】
2008529898.tif 000012
2008529898.tif 000013
2008529898.tif 000014